(57)【要約】  ディファレンシャルギヤ機構は、ディファレンシャルケース50、第１サイドギヤ60、第２サイドギヤ62、第１ピニオンギヤ68及び第２ピニオンギヤ70を含む。第１サイドギヤ62は、ディファレンシャルケース50内に回転可能に取付けられ、第１外径100を有する。第２サイドギヤ62は、ディファレンシャルケース50内に回転可能に取付けられ、第２外径102を有する。第１ピニオンギヤ68は、第１噛合い現象中、第１サイドギヤ60に噛合わされて回転する。第２ピニオンギヤ70は、第２噛合い現象中、第２サイドギヤ62に噛合わされて回転する。第１及び第２ピニオンギヤ68,70は、第１及び第２ピニオンギヤ68,70と第１及び第２サイドギヤ60,62との間でトルクを伝達して第１及び第２サイドギヤ60,62を回転させるように構成されたトルク伝達構造を形成する。第１外径100と第２外径102とは異なり、第１噛合い現象と第２噛合い現象とが時間的にオフセットされる。【選択図】図３
2017508930.tif 000002
【特許請求の範囲】
【請求項１】
その回転軸に同軸上に配置された第１及び第２出力シャフト開口を形成するディファレンシャルケースと、
前記ディファレンシャルケース内に回転可能に取付けられて、第１外径を有する第１サイドギヤと、
前記ディファレンシャルケース内に回転可能に取付けられて、第２外径を有する第２サイドギヤと、
第１噛合い現象中に前記第１サイドギヤに噛合って回転する第１ピニオンギヤと、
第２噛合い現象中に前記第２サイドギヤに噛合って回転する第２ピニオンギヤと、を備え、
前記第１及び第２ピニオンギヤは、前記第１及び第２ピニオンギヤと前記第１及び第２サイドギヤとの間でトルクを伝達して前記第１及び第２サイドギヤを回転軸回りに回転させるように構成されたトルク伝達構造を形成し、
前記第１外径と前記第２外径とは異なり、前記第１噛合い現象と第２噛合い現象とが時間的にオフセットされることを特徴とするディファレンシャルアセンブリ。
【請求項２】
第１噛合い現象と第２噛合い現象とは、異なる角度位置で生じることを特徴とする請求項１に記載のディファレンシャルアセンブリ。
【請求項３】
第１噛合い現象と第２噛合い現象とは、同位相で生じないことを特徴とする請求項１に記載のディファレンシャルアセンブリ。
【請求項４】
第１噛合い現象と第２噛合い現象とは、２〜４度の間でオフセットされていることを特徴とする請求項３に記載のディファレンシャルアセンブリ。
【請求項５】
前記第１サイドギヤと前記第１ピニオンギヤとは、協働して第１噛合い率を提供し、前記第１サイドギヤと前記第１ピニオンギヤとは、協働して第１噛合い率を提供し、第１噛合い率と第２噛合い率とは、異なることを特徴とする請求項１に記載のディファレンシャルアセンブリ。
【請求項６】
前記第１サイドギヤと前記第１ピニオンギヤとは、協働して第１接触長さを提供し、前記第２サイドギヤと前記第２ピニオンギヤとは、協働して第２接触長さを提供し、第１接触長さと第２接触長さとは、異なることを特徴とする請求項１に記載のディファレンシャルアセンブリ。
【請求項７】
前記第１ピニオンギヤは、それぞれが第１ピニオン歯先を有する一連の第１ピニオンギヤ歯含み、それぞれの前記第１ピニオン歯先と対応する第１サイドギヤの歯との間の一連の第１接触は、第１シーケンス接触時間で生じることを特徴とする請求項１に記載のディファレンシャルアセンブリ。
【請求項８】
前記第２ピニオンギヤは、それぞれが第２ピニオン歯先を有する一連の第２ピニオンギヤ歯含み、それぞれの前記第２ピニオン歯先と対応する第２サイドギヤの歯との間の一連の第２接触は、第２シーケンス接触時間で生じ、それぞれの第１シーケンス接触時間は、それぞれの第２シーケンス接触時間からオフセットされていることを特徴とする請求項７に記載のディファレンシャルアセンブリ。
【請求項９】
前記第１サイドギヤと前記第１ピニオンギヤとは、協働して、第１作用線を提供し、前記第２サイドギヤと前記第２ピニオンギヤとは、協働して、第２作用線を提供し、第１作用線と第２作用線とは、異なることを特徴とする請求項１に記載のディファレンシャルアセンブリ。
【請求項１０】
その回転軸に同軸上に配置された第１及び第２出力シャフト開口を形成するディファレンシャルケースと、
前記ディファレンシャルケース内に回転可能に取付けられて、第１外径を有する第１サイドギヤと、
前記ディファレンシャルケース内に回転可能に取付けられて、第２外径を有する第２サイドギヤと、
第１噛合い現象中に前記第１サイドギヤに噛合って回転する第１ピニオンギヤと、
第２噛合い現象中に前記第２サイドギヤに噛合って回転する第２ピニオンギヤと、を備え、
前記第１及び第２ピニオンギヤは、前記第１及び第２ピニオンギヤと前記第１及び第２サイドギヤとの間でトルクを伝達して前記第１及び第２サイドギヤを回転軸回りに回転させるように構成されたトルク伝達構造を形成し、
前記第１サイドギヤと前記第１ピニオンギヤとは、協働して第１噛合い率を提供し、前記第２サイドギヤと前記第２ピニオンギヤとは、協働して第２噛合い率を提供し、第１噛合い率と第２噛合い率とは、異なることを特徴とするディファレンシャルアセンブリ。
【請求項１１】
第１噛合い現象と第２噛合い現象とは、同位相で生じないことを特徴とする請求項１０に記載のディファレンシャルアセンブリ。
【請求項１２】
第１噛合い現象と第２噛合い現象とは、２〜４度の間でオフセットされていることを特徴とする請求項１１に記載のディファレンシャルアセンブリ。
【請求項１３】
前記第１サイドギヤと前記第１ピニオンギヤとは、協働して第１接触長さを提供し、前記第２サイドギヤと前記第２ピニオンギヤとは、協働して第２接触長さを提供し、第１接触長さと第２接触長さとは、異なることを特徴とする請求項１０に記載のディファレンシャルアセンブリ。
【請求項１４】
前記第１外径と前記第２外径とは異なり、前記第１噛合い現象と第２噛合い現象とが時間的にオフセットされることを特徴とする請求項１０に記載のディファレンシャルアセンブリ。
【請求項１５】
前記第１サイドギヤと前記第１ピニオンギヤとは、協働して、第１作用線を提供し、前記第２サイドギヤと前記第２ピニオンギヤとは、協働して、第２作用線を提供し、第１作用線と第２作用線とは、異なることを特徴とする請求項１０に記載のディファレンシャルアセンブリ。
【請求項１６】
その回転軸に同軸上に配置された第１及び第２出力シャフト開口を形成するディファレンシャルケースと、
前記ディファレンシャルケース内に回転可能に取付けられて、第１外径を有する第１サイドギヤと、
前記ディファレンシャルケース内に回転可能に取付けられて、第２外径を有する第２サイドギヤと、
第１噛合い現象中に前記第１サイドギヤに噛合って回転する第１ピニオンギヤと、
第２噛合い現象中に前記第２サイドギヤに噛合って回転する第２ピニオンギヤと、を備え、
前記第１及び第２ピニオンギヤは、前記第１及び第２ピニオンギヤと前記第１及び第２サイドギヤとの間でトルクを伝達して前記第１及び第２サイドギヤを回転軸回りに回転させるように構成されたトルク伝達構造を形成し、
（ｉ）前記第１ピニオンギヤは、それぞれが第１ピニオン歯先を有する一連の第１ピニオンギヤ歯含み、それぞれの前記第１ピニオン歯先と対応する第１サイドギヤの歯との間の一連の第１接触は、第１シーケンス接触時間で生じ、
（ｉｉ）前記第２ピニオンギヤは、それぞれが第２ピニオン歯先を有する一連の第２ピニオンギヤ歯含み、それぞれの前記第２ピニオン歯先と対応する第２サイドギヤの歯との間の一連の第２接触は、第２シーケンス接触時間で生じ、それぞれの第１シーケンス接触時間は、それぞれの第２シーケンス接触時間からオフセットされていることを特徴とするディファレンシャルアセンブリ。
【請求項１７】
第１噛合い現象と第２噛合い現象とは、異なる角度位置で生じることを特徴とする請求項１６に記載のディファレンシャルアセンブリ。
【請求項１８】
前記第１サイドギヤと前記第１ピニオンギヤとは協働して第１噛合い率を提供し、前記第１サイドギヤと前記第１ピニオンギヤとは協働して第１噛合い率を提供し、第１噛合い率と第２噛合い率とは、異なることを特徴とする請求項１６に記載のディファレンシャルアセンブリ。
【請求項１９】
第１噛合い現象と第２噛合い現象とは、位相が異なることを特徴とする請求項１６に記載のディファレンシャルアセンブリ。
【請求項２０】
前記第１サイドギヤと前記第１ピニオンギヤとは、協働して第１接触長さを提供し、前記第２サイドギヤと前記第２ピニオンギヤとは、協働して第２接触長さを提供し、第１接触長さと第２接触長さとは、異なることを特徴とする請求項１６に記載のディファレンシャルアセンブリ。
【発明の詳細な説明】
【技術分野】
【０００１】
（関連出願の相互参照）
本出願は、２０１３年３月１９日提出の米国特許出願第６１／９５５２９５号の優先権を主張する。上記出願の開示は、参照することにより本説明に含まれる。
【０００２】
（分野）
本開示は、一般的には、ディファレンシャルギヤアセンブリに関し、また、より具体的には、スタッガード（交互）噛合い現象を生じるサイドギヤを有するディファレンシャルギヤ構造に関するものである。
【背景技術】
【０００３】
ディファレンシャルギヤ機構は、アクスルアセンブリに設けられて、駆動軸から一対の出力軸にトルクを伝達するために使用される。駆動軸は、ディファレンシャルのハウジングに取付けられたリングギヤに噛合うべベルギヤを使用してディファレンシャルを駆動する。自動車用途において、ディファレンシャルは、アクスルアセンブリの両側に取付けられたタイヤが異なる速度で回転できるようにする。これは、車両の旋回時に、外側のタイヤが内側のタイヤよりも長い距離の円弧上を進むので、重要である。このため、外側のタイヤは、より長い走行距離を補償するために内側のタイヤよりも速く回転しなければならない。ディファレンシャルは、ディファレンシャルケース及びギヤ構造を含み、このギヤ構造は、駆動軸から一対の出力軸にトルクを伝達できるようにすると同時に、必要なときに出力シャフトを異なる速度で回転できるようにする。このギヤ構造は、一般的に、それぞれの出力軸に取付けられて回転する一対のサイドギヤを含むことができる。一連のクロスピンシャフトすなわちピニオンギヤシャフトがディファレンシャルケースに固定的に取付けられて、これと一体的に回転する。対応する複数のピニオンギヤは、ピニオンギヤシャフトに取付けられて回転し、また、両方のサイドギヤに噛合わされている。
【０００４】
いくつかのディファレンシャルギヤ機構は、トラクションを改善するディファレンシャルを含む。一般的には、クラッチパックがサイドギヤの一方と、隣接するディファレンシャルケースの表面との間に配置される。このクラッチパックすなわちロッキング機構は、ギヤケースと一方のサイドギヤとの間の相対回転を制限するように作動する。このようなディファレンシャルにおいて、クラッチパックすなわちロッキング機構の係合（差動の制動）は、異なるいくつかのアプローチの一つによって達成される。いくつかの構造は、クラッチパックを解放状態、ロック状態及び部分的なロック状態の間で移動させるように作動するピストンを含む。いくつかの構造では、油圧流体が供給されてピストンを作動させる。
【０００５】
ここに提供される背景技術の説明は、本開示の背景を一般的に示すことを目的とする。この背景技術の欄において説明される範囲の本発明者の説明は、出願時における従来技術として特に認められていない本説明の特徴と同様に、本開示に対する従来技術として明示されるものでも黙示されるものでもない。
【発明の概要】
【課題を解決するための手段】
【０００６】
本開示の一例に従って構成されたディファレンシャルギヤ機構は、ディファレンシャルケース、第１サイドギヤ、第２サイドギヤ、第１及び第２ピニオンを含むことができる。ディファレンシャルケースは、ディファレンシャルケースの回転軸と同軸の第１及び第２出力シャフト開口を形成することができる。第１サイドギヤは、ディファレンシャルケース内に回転可能に取付けられて、第１外径を有する。第２サイドギヤは、ディファレンシャルケース内に回転可能に取付けられて、第２外径を有する。第１ピニオンギヤは、第１噛合い現象中に第１サイドギヤに噛合わされて回転することができる。第２ピニオンギヤは、第２噛合い現象中に第２サイドギヤに噛合わされて回転することができる。第１及び第２ピニオンギヤは、第１及び第２ピニオンギヤと第１及び第２サイドギヤとの間でトルクを伝達して第１サイドギヤ及び第２サイドギヤを回転軸回りに回転させるように構成されたトルク伝達構造を形成する。第１及び第２外径は、第１及び第２噛合い現象が時間的にオフセットされるように、異なっている。
【０００７】
更なる特徴に従って、第１及び第２噛合い現象は、異なる角度位置で生じることができる。第１及び第２噛合い現象は、位相を異ならせることができる。第１サイドギヤ及び第１ピニオンギヤは、協働して第１噛合い率を提供する。第２サイドギヤ及び第２ピニオンギヤは、協働して第２噛合い率を提供する。第１噛合い率と第２噛合い率とは、異ならせることができる。第１サイドギヤ及び第１ピニオンギヤは、協働して第１接触長さを提供する。第２サイドギヤ及び第２ピニオンギヤは、協働して第２接触長さを提供する。第１接触長さと第２接触長さとは、異ならせることができる。
【０００８】
他の特徴に従って、第１ピニオンギヤは、それぞれが第１ピニオン歯先を有する一連の第１ピニオンギヤ歯を含むことができる。第１ピニオン歯先と対応する第１サイドギヤの歯との間のそれぞれの一連の第１接触は、第１シーケンス接触時間に生じる。第２ピニオンギヤは、それぞれが第２ピニオン歯先を有する一連の第２ピニオンギヤ歯を含むことができる。第２ピニオン歯先と対応する第２サイドギヤの歯との間のそれぞれの一連の第２接触は、第２シーケンス接触時間に生じる。それぞれの第１シーケンス接触時間は、それぞれの第２シーケンス接触時間からオフセットされる。第１サイドギヤと第１ピニオンギヤとは、協働して第１作用線を提供することができる。第２サイドギヤと第２ピニオンギヤとは、協働して第２作用線を提供することができる。第１作用線と第２作用線とは、異なることができる。
【０００９】
本開示の他の実施例に従ったディファレンシャルギヤ機構は、ディファレンシャルケース、第１サイドギヤ、第２サイドギヤ、第１及び第２ピニオンを含むことができる。ディファレンシャルケースは、ディファレンシャルケースの回転軸に同軸上に配置された第１及び第２出力シャフト開口を形成することができる。第１サイドギヤは、ディファレンシャルケース内に回転可能取付けられて、第１外径を有することができる。第２サイドギヤは、ディファレンシャルケース内に回転可能取付けられて、第２外径を有することができる。第１ピニオンギヤは、第１噛合い現象中に第１サイドギヤと噛合わされて、回転することができる。第２ピニオンギヤは、第２噛合い現象中に第２サイドギヤと噛合わされて、回転することができる。第１及び第２ピニオンギヤは、第１及び第２ピニオンギヤと第１及び第２サイドギヤとの間でトルクを伝達して第１及び第２サイドギヤを回転軸回りに回転させるように構成されたトルク伝達機構を形成する。第１サイドギヤと第１ピニオンギヤとは、協働して第１噛合い率を提供することができる。第２サイドギヤと第２ピニオンギヤとは、協働して第２噛合い率を提供することができる。第１噛合い率と第２噛合い率とは、異なることができる。
【００１０】
他の特徴に従って、第１噛合い現象と第２噛合い現象とは、位相をずらすことができる。第１サイドギヤと第１ピニオンギヤとは、協働して第１接触長さを提供することができる。第２サイドギヤと第２ピニオンギヤとは、協働して第２接触長さを提供することができる。第１接触長さと第２接触長さとは、異なることができる。第１外径と第２外径とは、第１噛合い現象と第２噛合い現象とが時間的にオフセットされるように、異なることができる。第１サイドギヤと第１ピニオンギヤは、協働して第１作用線を提供することができる。第２サイドギヤと第２ピニオンギヤは、協働して第２作用線を提供することができる。第１作用線と第２作用線とは、異なることができる。
【００１１】
本開示の他の実施例に従ったディファレンシャルギヤ機構は、ディファレンシャルケース、第１サイドギヤ、第２サイドギヤ、第１及び第２ピニオンを含むことができる。ディファレンシャルケースは、ディファレンシャルケースの回転軸に同軸上に配置された第１及び第２出力シャフト開口を形成することができる。第１サイドギヤは、ディファレンシャルケース内に回転可能取付けられて、第１外径を有することができる。第２サイドギヤは、ディファレンシャルケース内に回転可能取付けられて、第２外径を有することができる。第１ピニオンギヤは、第１噛合い現象中に第１サイドギヤと噛合わされて、回転することができる。第２ピニオンギヤは、第２噛合い現象中に第２サイドギヤと噛合わされて、回転することができる。第１及び第２ピニオンギヤは、第１及び第２ピニオンギヤと第１及び第２サイドギヤとの間でトルクを伝達して第１及び第２サイドギヤを回転軸回りに回転させるように構成されたトルク伝達機構を形成する。第１ピニオンギヤは、それぞれが第１ピニオン歯先を有する一連の第１ピニオンギヤ歯を含むことができる。第１ピニオン歯先と対応する第１サイドギヤの歯との間のそれぞれの一連の第１接触は、第１シーケンス接触時間で生じる。第２ピニオンギヤは、それぞれが第２ピニオン歯先を有する一連の第２ピニオンギヤ歯を含むことができる。第２ピニオン歯先と対応する第２サイドギヤの歯との間のそれぞれの一連の第２接触は、第２シーケンス接触時間で生じる。それぞれの第１シーケンス接触時間は、それぞれの第２シーケンス接触時間からオフセットされることができる。
【図面の簡単な説明】
【００１２】
本開示は、この詳細な説明及び添付図面から、より完全に理解されるようになるであろう。
【００１３】
【図１】図１は、本開示の一実施形態に従って構成されたディファレンシャルギヤアセンブリを含む例示的な車両ドライブラインの概略図である。
【図２】図２は、図１のディファレンシャルアセンブリの第１及び第２サイドギヤ並びに第１及び第２ピニオンギヤの断面図である。
【図３】図３は、図２の第１サイドギヤと第１ピニオンギヤとの間の例示的な噛合い現象を示す図である。
【図４】図４は、図２の第２サイドギヤと第２ピニオンギヤとの間の例示的な噛合い現象を示す図である。
【発明を実施するための形態】
【００１４】
はじめに図１を参照して、例示的な車両ドライブラインが示され、全体として、参照符号１０によって特定されている。ここで説明される例示的な車両ドライブライン１０は、リミテッドスリップディファレンシャルを有する後輪駆動車両用であるが、当然のことながら、本開示の教示は、他のディファレンシャルギヤ機構または一般的なギヤ機構に使用することができる。
【００１５】
ドライブライン１０は、一般的に、クラッチアセンブリ２２及びディファレンシャルギヤアセンブリすなわちディファレンシャルギヤ機構２４を有するリミテッドスリップディファレンシャルアセンブリ２０を含むことができる。リミテッドディファレンシャルギヤアセンブリ２０は、駆動車輪４０及び４２にそれぞれ連結される一対のアクスルシャフト３０及び３２を駆動するように作動する。一般的に、リミテッドスリップディファレンシャルアセンブリ２０は、バイアストルクが要求される現象が生じるまでの通常の作動条件においては、一般的なオープンディファレンシャルとして機能する。トラクションの損失が検知又は予想されたとき、クラッチアセンブリ２２は、その状態に対して適切なトルクバイアス比を発生させるために選択的に作動することができる。
【００１６】
リングギヤ４８は、ディファレンシャルギヤアセンブリ２０のディファレンシャルケース５０に固定される。リングギヤ４８は、入力ピニオンシャフト５４の駆動ピニオン５２に噛合わされて回転することができる。一般的に、入力ピニオンシャフ５４は、変速機（図示せず）を介してエンジン（図示せず）によって駆動されることができる。入力ピニオンシャフト５４は、回転運動を駆動ピニオン５２からリングギヤ４８を介して伝達して、ディファレンシャルケース５０を駆動することができる。
【００１７】
リングギヤ４８は、ディファレンシャルケース５０に回転しないように固定されている。ディファレンシャルギヤアセンブリ２４は、アクスルシャフト３０及び３２（及び第１及び第２駆動車輪４０及び４２）にそれぞれ取付けられて回転する第１及び第２サイドギヤ６０及び６２を含む。第１及び第２ピニオンギヤシャフト６４及び６６は、ディファレンシャルケース５０に固定的に取付けられて、これと一体的に回転する。第１及び第２ピニオンギヤ６８及び７０は、対応するピニオンギヤシャフト６４及び６６に取付けられて回転し、第１及び第２サイドギヤ６０及び６２の両方に噛合っている。２つのピニオンギヤが図示されているが、当然のことながら、ディファレンシャルギヤアセンブリ２４には、２つよりも多くのピニオンギヤが含まれてもよい。以下に、より完全に説明するが、オープン構造では、ディファレンシャルギヤアセンブリ２４は、アクスルシャフト３０及び３２が異なる速度で回転するのを許容するように作用する。
【００１８】
クラッチアセンブリ２２は、一般的にクラッチパック７２及びクラッチアクチュエータ（図示せず）を含むことができる。クラッチパック７２は、複数の環状の摩擦ディスク７８の間に挟み込まれた複数の環状プレート７４を含む。複数の環状プレート７４は、ディファレンシャルケース５０及びディファレンシャルギヤアセンブリ２４の一方に連結されて回転することができる。複数の環状の摩擦ディスク７８は、ディファレンシャルケース５０及びディファレンシャルギヤアセンブリ２４の他方に連結されて回転することができる。
【００１９】
複数の環状プレート７４及び環状の摩擦ディスク７８は、互いの間に差し挟まれて、クラッチアセンブリ３２が解放位置にあるとき、互いにほぼ非接触の関係でずれながら回転する。しかしながら、当業者には当然のことながら、ここで使用される「非接触」という用語は、相対的なものであって、クラッチアセンブリ２２が解放状態にあるとき、環状プレート７４及び環状の摩擦ディスク７８が完全に接触しないことを示す必要性を意味しない。環状プレート７４及び環状の摩擦ディスク７８は、互いに対して摩擦係合状態へ軸方向に移動可能であり、これにより、クラッチアセンブリ２２が閉状態または部分的な閉状態にあるとき、環状プレート７４と環状の摩擦ディスク７８との間の相対回転が減少する。この方法で、クラッチアセンブリ２２がその閉位置にあるとき、第１及び第２サイドギヤ６０及び６２、同様に、第１及び第２アクスルシャフト３０及び３２並びに駆動車輪４０及び４２は、一体的に回転する。
【００２０】
クラッチアセンブリ２２は、解放状態において、第１サイドギヤと６０と第２サイドギヤ６２とが互いに独立して、例えば異なる速度で回転することを許容することができる。また、クラッチアセンブリ２２は、サイドギヤ６０及び６２が一体的または部分的に一体的に（独立しないで）、例えば、ほぼ同じ速度で回転する閉状態または部分的な閉状態において作動することができる。クラッチアセンブリ２２は、例えば、クラッチアクチュエータのピストン（図示せず）に作用してクラッチパック７２を開閉及び部分的な閉状態の間で選択的に作動させることができる加圧された油圧流体を利用する油圧クラッチとすることができる。他の構造を考慮することもできる。
【００２１】
図２〜４も参照して、ディファレンシャルギヤアセンブリ２４の更なる特徴について説明する。第１サイドギヤ６０は、ディファレンシャルケース５０内に回転可能に取付けられて、第１外径１００を有している。第２サイドギヤ６２は、ディファレンシャルケース５０内に回転可能に取付けられて、第２外径１０２を有している。第１外径１００は、第２外径とは異なっている。図示の実施形態では、第１外径１０２は、第１外径１００よりも小さい。
【００２２】
第１ピニオンギヤ６８は、第１噛合い現象中に第１ギヤ噛合い部１１０（図２及び図３参照）で第１サイドギヤ６０に噛合わされて回転する。第２ピニオンギヤ７０は、第２噛合い現象中に第２ギヤ噛合い部１１２（図２及び図４参照）で第１サイドギヤ６０に噛合わされて回転する。第１及び第２ピニオンギヤ６８及び７０は、第１及び第２ピニオンギヤ６８及び７０と第１及び第２サイドギヤ６０及び６２との間でトルクを伝達するように構成されるトルク伝達構造を形成して、第１及び第２サイドギヤ６０及び６２を回転軸１２０回りに回転させる。第１外径１００と第２外径１０２とが異なるので、第１ギヤ噛合い部１１０と第２ギヤ噛合い部１１２とが異なる。その際、噛み合い現象は、時間的にズレ（オフセット）がある。
【００２３】
図３について検討すると、第１サイドギヤ６０及び第１ピニオンギヤ６８は、第１噛合い現象中の第１ギヤ噛合い部１１０で示されている。第１サイドギヤ６０は、それぞれが歯先１３２を有する第１サイドギヤ歯１３０を含む。対応する歯元１３４は、隣接する第１サイドギヤ歯１３０の間に設けられている。第１サイドギヤ６０は、転がり角１３８を規定する。第１ピニオンギヤ６８は、それぞれが歯先１５２を有する第１ピニオンギヤ歯１５０を含む。対応する歯元１５４は、隣接する第１ピニオンギヤ歯１５０の間に設けられている。作用線１５８は、第１サイドギヤ６０と第１ピニオンギヤ６８との間に形成される。
【００２４】
図４について検討すると、第２サイドギヤ６２及び第２ピニオンギヤ７０は、第２噛合い現象中の第２ギヤ噛合い部１１２で示されている。第２サイドギヤ６２は、それぞれが歯先１７２を有する第２サイドギヤ歯１７０を含む。対応する歯元１７４は、隣接する第２サイドギヤ歯１７０の間に設けられている。第２サイドギヤ６２は、転がり角１７８を規定する。第２ピニオンギヤ７０は、それぞれが歯先１９２を有する第２ピニオンギヤ歯１９０を含む。対応する歯元１９４は、隣接する第１ピニオンギヤ歯１９０の間に設けられている。作用線１９８は、第２サイドギヤ６２と第２ピニオンギヤ７０との間に形成される。
【００２５】
ディファレンシャルアセンブリが同じギヤ形状を有するサイドギヤを含むとき、対応するピニオンギヤとの噛合い現象は、同時に発生する。すなわち、一つのギヤの歯先は、所与の位置でその噛合い相手の歯元に接触する。全てのピニオンギヤは、この回転接点を分配する。この位置は、転がり角で特定され、この転がり角は、ギヤの回転角である。本開示のディファレンシャルアセンブリ２４は、同じギヤ形状を有するサイドギヤを有するディファレンシャルアセンブリに対して多くの利点を提供する。第１及び第２サイドギヤ６０及び６２が異なる直径を有するので、第１及び第２サイドギヤ６０及び６２と第１及び第２ピニオンギヤ６８及び７０との噛合い現象は、交互に行われる。更に、当然のことながら、図面は、２つのピニオンギヤを特定しているが、３つ以上のピニオンギヤがディファレンシャルアセンブリ２４に含まれてもよい。これにより、ギヤの噛合い現象のタイミングは、ずらされる（オフセットされる）。噛合い率、接触長さ、及び、歯先−歯元接触現象は、両方の第１及び第２サイドギヤ６０及び６２で異なる。異なる直径を有する第１及び第２サイドギヤ６０及び６２を設けることにより、噛み合い現象は、異なる角度の位置で生じて、それぞれの第１及び第２サイドギヤ６０及び６２に対して噛み合い現象の周波数の僅かな位相のずれを生じさせる。その際、第１及び第２噛合い現象は、位相が一致しない。一例では、第１及び第２噛合い現象は、２〜４度の間のずれ（オフセット）を生じる。ディファレンシャルアセンブリ２４は、低騒音で作動することができ、作動中の応力の増幅を低減することができる。
【００２６】
図３について再度検討すると、第１ピニオンギヤ６８は、それぞれが第１ピニオン歯先１５２を有する一連のピニオンギヤ歯１５０を含む。それぞれの第１ピニオン歯先１５２と対応する第１サイドギヤ６０の歯１３０との間の一連の第１接触は、第１シーケンス時間で生じる。同様に、図４を参照して、第２ピニオンギヤ７０は、それぞれが第２ピニオン歯先１９２を有する一連のピニオンギヤ歯１９０を含む。それぞれの第２ピニオン歯先１９２と対応する第１サイドギヤ６２の歯１７０との間の一連の第２接触は、第２シーケンス時間で生じる。第１接触の各第１シーケンス時間は、第２接触の各第２シーケンス時間からオフセットしている。作用線１５８は、作用線１９８と異なっている。転がり角１３８は、転がり角１７８と異なっている。
【００２７】
以上の実施形態の説明は、図示及び説明の目的で提供されている。これは、網羅的なものではなく、すなわち、本開示を限定するものではない。特定の実施形態の個々の要素または特徴は、一般的にその特定の実施形態に限定されず、該当箇所は、特に図示せず、又は、説明されなくても、選択された実施形態において、置き換えが可能であり、使用することができる。同様なものは、多様な形で変更することができる。そのようなバリエーションは、本開示から逸脱するものとはみなされず、そのような全ての変形例は、本開示の範囲内に含まれるものとする。
【図１】
2017508930.tif 000003
【図２】
2017508930.tif 000004
【図３】
2017508930.tif 000005
【図４】
2017508930.tif 000006
【国際調査報告】
2017508930.tif 000007
2017508930.tif 000008
2017508930.tif 000009
2017508930.tif 000010